(57)【要約】      （修正有）【課題】緩みにより蓋体のがたつきや、施錠保持性、気密性を損なうことがない、かばん・ケース類の錠前を提供する。【解決手段】筐体に取り付けられる錠前本体１０と、蓋体に取り付けられる差込部材１００とから成るかばん・ケース類の錠前に於いて、凹所状収納部１１iに施錠カム用軸１２ａを中心として係合・非係合方向に回動する施錠カム１２と、施錠レバー１３と、施錠レバー１３を少なくとも施錠方向に付勢する付勢手段１４を組み込み、係合片１０２が施錠カム１２に形成された第１係合部１２ｂに係合した後、係合片１０２が錠前本体内に更に進入すると、付勢手段１４の付勢力により、施錠カム１２は係合片１０２を施錠位置へと引き寄せるように自動的に回動して施錠状態となる。【選択図】図３
2019044545.tif 000002
【特許請求の範囲】
【請求項１】
筐体に取り付けられる錠前本体（１０）と、この錠前本体の位置に対応するように蓋体に取り付けられ、係合片（１０２）が前記錠前本体に着脱自在に係合する差込部材（１００）とから成るかばん・ケース類の錠前に於いて、
前記錠前本体（１０）に凹所状収納部（１１ｉ）を設け、この凹所状収納部に施錠カム用軸（１２ａ）を中心として係合・非係合方向に回動する施錠カム（１２）と、前記施錠カムと共働するように連係部が該施錠カムの偏心部位に取付けられた施錠レバー（１３、１３Ａ）と、この施錠レバーを少なくとも施錠方向に付勢するようバネ端部が該施錠レバーに圧接する付勢手段（１４）を組み込み、前記係合片（１０２）が前記施錠カムに形成された第１係合部としての切欠状被係合部（１２ｂ）に係合した後、該係合片が前記錠前本体内に更に進入すると、前記付勢手段の付勢力により、前記施錠カムは前記係合片を施錠位置へと引き寄せるように自動的に回動して施錠状態となる、かばん・ケース類の錠前。
【請求項２】
請求項１に記載のかばん・ケース類の錠前に於いて、前記施錠状態時、不正開錠操作により前記差込部材（１００）が退出方向に移動したとき、前記取付け基台側に設けられた係合部（１１ｆ）に前記施錠カムの第２係合部（１２ｅ）が食い込むように当たり、これにより前記施錠状態を保持することを特徴とするかばん・ケース類の錠前。
【請求項３】
請求項１又は請求項２に記載のかばん・ケース類の錠前に於いて、錠前本体は、差込部材の係合片と施錠カムの第１係合部との係合解除用の操作部材を有し、この係合解除用の操作部材は、取付け基台（１１）に結合するケースカバー（１８）に回転可能に設けられた操作摘み、又は前記取付け基台（１１）に摺動自在に嵌合すると共に、施錠レバーを付勢手段の付勢力に抗して作動させる押圧部（２２）を有する摺動可動体（１９Ａ、１９Ｂ）のいずれかであることを特徴とするかばん・ケース類の錠前。
【請求項４】
請求項３に記載のかばん・ケース類の錠前に於いて、係合解除用の操作部材が取付け基台に摺動自在に嵌合すると共に、施錠レバーを付勢手段の付勢力に抗して作動させる押圧部を有する摺動可動体（１９Ａ、１９Ｂ）の場合には、前記押圧部（２２、２２）は、施錠レバー（１３Ａ）の中心軸（２４）を基準として上下の位置に略回転対称に設けられていることを特徴とするかばん・ケース類の錠前。
【請求項５】
請求項２に記載のかばん・ケース類の錠前に於いて、施錠カムは、その略中央部に施錠カム用軸が遊嵌合する軸孔を有し、不正開錠時に係合片が後退方向に移動すると、前記施錠カムは前記軸孔を介して前記係合片と略同方向へ移動し、これにより、取付け基台側に設けられた係合部（１１ｆ）に前記施錠カムの第２係合部（１２ｅ）が食い込むように当たることを特徴とするかばん・ケース類の錠前。
【請求項６】
請求項１又は請求項２に記載のかばん・ケース類の錠前に於いて、錠前本体は、ケースカバー（１８）の内側に係合解除用の操作部材と共働すると共に、施錠カムを係合解除の方向へと位置変位させる作動カム（１６）を有し、差込部材の進入により該差込部材の係合片に設けた係合突起（１０３）が、前記施錠カムの第１係合部（１２ｂ）と係合し、施錠カムが回動する際、施錠カムと共働して作動カムが回動するように構成し、一方、前記係合解除用の操作部材の操作力により、前記施錠カムと施錠レバーの連係部が施錠カム用軸（１２ａ）を基準として位置変位し、これにより施錠カムと差込部材との解除が、前記係合解除用の操作部材の左右のいずれの回転方向によってもできるように構成したことを特徴とするかばん・ケース類の錠前。
【請求項７】
請求項１又は請求項２に記載のかばん・ケース類の錠前に於いて、錠前本体は施錠カムと施錠レバーとを有し、前記施錠カムには、前記施錠レバーの一方の端部が施錠カムを上方に回動させるように取り付けられており、かつ施錠レバーの他方の端部は錠前本体の係合解除用の操作部材と連動させるように取り付けられており、施錠カムと差込部材との解除が、施錠レバーとの連動により、係合解除用の操作部材の下方への移動によってできるように構成したことを特徴とするかばん・ケース類の錠前。
【請求項８】
請求項１に記載のかばん・ケース類の錠前に於いて、付勢手段は、クリック機能を有する付勢バネであり、この付勢バネの付勢力は、施錠カムと施錠レバーの連係部が施錠カム用軸（１２ａ）を基準として上方に位置変位した場合には施錠方向に作用し、一方、前記連係部が施錠カム用軸（１２ａ）を基準として下方に位置変位した場合には開錠方向に作用することを特徴とするかばん・ケース類の錠前。
【発明の詳細な説明】
【技術分野】
【０００１】
本発明は、各種かばん類、スーツケース、トローリーバック、ブリーフケース、トランク、クーラーボックス、コンテナー、その他各種ケース類やその他各種物品を収納する筐体製品など（以下、これらを総称して本明細書において、かばん・ケース類と称する。）の蓋体及び筐体に取り付けられるかばん・ケース類の錠前に関し、特に、かばん・ケース類の筐体に取り付けられる錠前本体と、この錠前本体の位置に対応するように蓋体に取り付けられ、係合片が前記錠前本体に着脱自在に係合する差込部材とから成るかばん・ケース類の錠前に関する。
【背景技術】
【０００２】
本出願人は、かばん類の筐体に取り付けられるかばん・ケース類の錠前として、かばん・ケース類の筐体に開閉可能に取り付けられた蓋体の施錠及び開錠をワンタッチ式で操作することができるようにしたかばん・ケース類の錠前を、先に特願２０１４−１５９８４３号（特開２０１６−３７７１３号）として提案している。本出願人は、さらに、かばん・ケース類の錠前のかばん・ケース類への取付けの際の位置の誤差、取扱い時の衝撃、永年の使用により取付けの緩みや位置ずれや部品の磨耗等によって生じる「がたつき」や気密性が損なわれるという問題点を一層改善することに着目した。
【先行技術文献】
【特許文献】
【０００３】
【特許文献１】特開２０１６−３７７１３号公報
【発明の概要】
【発明が解決しようとする課題】
【０００４】
本発明の主たる課題は、付勢手段の付勢力を利用し、いわゆるワンタッチで自動的に施錠できると共に、施錠時、蓋体に取り付けられ差込部材を可能な限り施錠位置へと引き寄せ、かばん・ケース類の錠前に発生するがたつきを自動的に吸収して常に気密性、保持力を保ち、これにより、いわゆる「がたつき」が生じにくいかばん・ケース類の錠前を提供するものである。本発明の二次的な課題は、前記課題に加え、かばん・ケース類の蓋体を無理やり開けようとしたりするという人為的な操作（特に第三者による不正開錠）や、かばん・ケース類取扱い時の衝撃（振動）による不意の開錠に対して一層保持力を増強できるかばん・ケース類の錠前を提供するものである。
【０００５】
さらに、本発明の付加的な課題は、かばん・ケース類の蓋体に複数のかばん・ケース類の錠前を左右に取り付けたときに発生する左右勝手の使いづらさ、そのために左右仕様のかばん・ケース類の錠前を別々に２種類の作製しなければならならないという製品点数、工数、管理、コストアップ等という無駄をなくし、一種類のかばん・ケース類の錠前で左右使いの双方を兼用することができるかばん・ケース類の錠前を提供するものである。なお、二次的な課題及び付加的な課題は、本発明の特定要件となった場合に主たる課題に加味されるものである。
【課題を解決するための手段】
【０００６】
本発明のかばん・ケース類の錠前は、筐体に取り付けられる錠前本体１０と、この錠前本体の位置に対応するように蓋体に取り付けられ、係合片１０２が前記錠前本体に着脱自在に係合する差込部材１００とから成るかばん・ケース類の錠前に於いて、前記錠前本体１０に凹所状収納部１１ｉを設け、この凹所状収納部に施錠カム用軸１２ａを中心として係合・非係合方向に回動する施錠カム１２と、前記施錠カム１２と共働するように連係部１２ｄ、１３ｄが該施錠カム１２の偏心部位に取付けられた施錠レバー１３、１３Ａと、この施錠レバーを少なくとも施錠方向に付勢するようバネ端部が該施錠レバー１３に圧接する付勢手段１４を組み込み、前記係合片１０２が前記施錠カムに形成された第１係合部としての切欠状被係合部１２ｂに係合した後、該係合片１０２が前記錠前本体１０内に更に進入すると、前記付勢手段１４の付勢力により前記施錠カム１２は前記係合片１０２を施錠位置へと引き寄せるように自動的に回動して施錠状態となることを特徴とする。
【０００７】
上記構成に於いて、前記施錠状態時、不正開錠操作により前記差込部材１００が退出方向に移動したとき、前記取付け基台１１の係合部としての一部１１ｆに前記施錠カム１２の第２係合部としての一部１２ｅが食い込むように当たり、これにより前記施錠状態を保持することを特徴とする。
【０００８】
また錠前本体１０は、差込部材１００の係合片１０２と施錠カム１２の切欠状被係合部１２ｂとの係合解除用の操作部材１９、１９Ａを有し、この係合解除用の操作部材１９は、取付け基台１１に結合するケースカバー１８に回転可能に設けられた操作摘み、又は前記取付け基台１１に摺動自在に嵌合すると共に、施錠レバーを付勢手段１４の付勢力に抗して作動させる押圧部を有する摺動可動体１９Ａ、１９Ｂのいずれかであることを特徴とする。
【０００９】
また係合解除用の操作部材１９Ａが取付け基台１１に摺動自在に嵌合すると共に、施錠レバー１３Ａを付勢手段１４の付勢力に抗して作動させる押圧部を有する摺動可動体１９Ａの場合には、前記押圧部２３は、前記取付け基台１１を左右勝手として使用することができるように施錠レバー１３Ａの中心軸２４を基準として上下の位置に略回転対称に設けられていることを特徴とする。
【００１０】
また施錠カムは、その略中央部に施錠カム用軸と遊嵌合する軸孔を有し、不正開錠時に係合片が後退方向に移動すると、前記施錠カムは前記軸孔を介して前記係合片と略同方向へ移動し、これにより、取付け基台側に設けられた係合部１１ｆに前記施錠カムの第２係合部１２ｅが食い込むように当たることを特徴とする。
【００１１】
また錠前本体は、ケースカバー１８の内側に係合解除用の操作部材と共働すると共に、施錠カムを係合解除の方向へと位置変位させる作動カム１６を有し、差込部材の進入により該差込部材の係合片１０２に設けた係合突起１０３が、前記施錠カムの第１係合部１２ｂと係合し、施錠カムが回動する際、施錠カムと共働して作動カムが回動するように構成し、一方、前記係合解除用の操作部材の操作力により、前記施錠カムと施錠レバーの連係部が施錠カム用軸１２ａを基準として位置変位し、これにより施錠カムと差込部材との解除が、前記係合解除用の操作部材の左右のいずれの回転方向によってもできるように構成したことを特徴とする。
【００１２】
さらに、錠前本体は施錠カムと施錠レバーとを有し、前記施錠カムには、前記施錠レバーの一方の端部が施錠カムを上方に回動させるように取り付けられており、かつ施錠レバーの他方の端部は錠前本体の係合解除用の操作部材と連動させるように取り付けられており、施錠カムと差込部材との解除が、施錠レバーとの連動により、係合解除用の操作部材の下方への移動によってできるように構成したことを特徴とする。
【００１３】
加えて、付勢手段１４は、クリック機能を有する付勢バネであり、この付勢バネの付勢力は、施錠カムと施錠レバーの連係部１２ｄ、１３ｄが施錠カム用軸１２ａを基準として上方に位置変位した場合には施錠方向に作用し、一方、前記連係部が施錠カム用軸１２ａを基準として下方に位置変位した場合には開錠方向に作用することを特徴とする。
【００１４】
ここで「取付け基台側に設けられた係合部」は、取付け基台１１の周壁の一部１１ｆや取付け基台内に固定的に設けられた施錠用カバー１５のストッパー、その他のストッパーを言うもので、位置変位する施錠カム１２を所定位置で受け止める機能を有するストッパー部位やストッパー部材である。
【発明の効果】
【００１５】
独立請求項に記載の本発明は、従来のかばん・ケース類に取付けられるかばん・ケース類の錠前においては、かばん・ケース類の錠前の取付け位置の僅かなずれ、または使用中に発生するかばん・ケース類の錠前の緩みにより、または取扱い中の衝撃等により蓋体のがたつきが発生し、かばん・ケース類の錠前の施錠維持性、筐体と蓋体との施錠時の気密性、保持力を損なうことがあったが、このような欠点を解消することができる。すなわち、付勢手段の付勢力を利用し、いわゆるワンタッチで自動的に施錠できると共に、施錠時、蓋体に取り付けられ差込部材を可能な限り施錠位置へと引き寄せ、かばん・ケース類の錠前に発生するがたつきを自動的に吸収して常に気密性、保持力を保ち、これにより、いわゆる「がたつき」が生じにくいかばん・ケース類の錠前を提供することができる。
【００１６】
また請求項２に記載の発明は、施錠状態時、例えば不正開錠操作により前記差込部材１００が退出方向に移動したとき、取付け基台側に設けられた係合部１１ｆに施錠カムの第２係合部一部１２ｅが食い込むように当たり、これにより前記施錠状態を保持することができる。さらに、実施形態如何によっては、サムターン式操作つまみ、スライド式可動体等の係合解除用の操作部材を左右のどちらに廻しても、或いは左右方向のいずれにスライドさせても開錠（係合解除）操作ができる。
【００１７】
また実施形態如何によっては、操作つまみ、操作カバー等のスライド式可動体を下方に移動しても開錠操作ができるので、非常に使い勝手が良いという利点がある。また従来においては、右回転開錠用と左回転開錠用の２種類のかばん・ケース類の錠前を別々に用意しなければならないという状況も生じ、その場合、右用と左用の２種類のかばん・ケース類の錠前を別々に作製するという必要が生じ、製品点数の増加、コストアップの要因となっていたが、本発明の一実施態様によれば、右回転開錠用と左回転開錠用の２種類のかばん・ケース類の錠前を別々に作製することなく、一種類で共用できるという効果もあるので、製品点数の削減、コスト低減に繋がる等の付随的果的がある。
【図面の簡単な説明】
【００１８】
図１乃至図８は本発明の第１実施形態を示す各説明図（回転方式の開錠タイプ）。図９乃至図１１は本発明の第２施形態を示す各説明図（横引き方式の開錠タイプ）。図１２及び図１３は本発明の第３施形態を示す各説明図（縦引き方式の開錠タイプ）。
【図１】本発明の第１実施形態を示す正面視からの概略説明図（差込前）。
【図２】錠前本体に差込部材が差し込まれた状態を示す側面視側からの概略説明図。
【図３】図２に於いて、施錠状態の一例を示す内部構造の概略説明図。
【図４】主要部を含む分解説明図。
【図５】図４に於いて、錠前本体１０を構成する取付け基台１１の説明図。
【図６（Ａ）】引き寄せ機能の流れを示す正面視側からの概略説明図。
【図６（Ｂ）】同様に引き寄せ機能の流れを示す正面視側からの概略説明図。
【図６（Ｃ）】同様に引き寄せ機能の流れを示す正面視側からの概略説明図。
【図７】（Ａ）、（Ｂ）は施錠保持力強化機能を示す正面視側からの概略説明図、
【図８（Ａ）】施錠状態の一例の説明図。
【図８（Ｂ）】操作部材を（Ａ）を基準として時計方向（符号Ｈ方向）に回した一例の説明図。
【図８（Ｃ）】は操作部材を（Ａ）を基準として反時計方向（符号Ｉ方向）に回した一例の説明図。
【図９】第２施形態を示す図３と同様の内部構造の概略説明図。
【図１０】図４と同様の主要部を含む分解説明図。
【図１１（Ａ）】施錠状態の一例の説明図。
【図１１（Ｂ）】操作部材を（Ａ）を基準として左方向（符号Ｋ方向）に移動させた一例の説明図。
【図１１（Ｃ）】操作部材を（Ａ）を基準として右方向（符号Ｌ方向）に移動させた一例の説明図。
【図１２】第３施形態を示す図３と同様の内部構造の概略説明図。
【図１３（Ａ）】は施錠状態の一例の説明図。
【図１３（Ｂ）】操作部材を（Ａ）を基準として下方向（符号Ｎ方向）に移動させた一例の説明図。
【図１３（Ｃ）】操作部材の内面（裏側）から見た概略説明図
【図１４】第１実施形態の取付け基台１１をケースカバー１８Ａに置換し、該ケースカバー１８Ａに凹所状収納部１１ｉを設け、一方、第１実施形態の取付け基台１１を蓋体に相当する取付けベース板（１１Ａ）に設計変更した実施形態。
【発明を実施するための形態】
【００１９】
各図は、本発明の技術的思想が、「筐体に取り付けられる錠前本体１０と、この錠前本体の位置に対応するように蓋体に取り付けられ、係合片１０２が前記錠前本体に着脱自在に係合する差込部材１００とから成るかばん・ケース類の錠前に於いて、前記錠前本体１０に凹所状収納部１１ｉを設け、この凹所状収納部に施錠カム用軸１２ａを中心として係合・非係合方向に回動する施錠カム１２と、前記施錠カムと共働するように連係部が該施錠カムの偏心部位に取付けられた施錠レバー１３、１３Ａと、この施錠レバーを少なくとも施錠方向に付勢するようバネ端部が該施錠レバーに圧接する付勢手段１４を組み込み、前記係合片が前記施錠カムに形成された第１係合部１２ｂに係合した後、該係合片１０２が前記錠前本体内に更に進入すると、前記付勢手段１４の付勢力により前記施錠カム１２は前記係合片１０２を施錠位置へと引き寄せるように自動的に回動して施錠状態となること」を示すものである。
【００２０】
その余の構成は、発明の課題との関係で付加的事項である。なお、前記施錠レバー１３は、施錠カムに連動して主として上下方向に移動するものであり（第１実施形態）、一方、施錠レバー１３Ａは、施錠カムに連動して主として左右方向に摺動するものである（第２実施形態）。
【００２１】
まず、図１乃至８を参照して第１実施形態を説明する。この第１実施形態は、その操作部材が回転方式の開錠タイプである。図１は本発明の第１実施形態を示す正面視からの概略説明図（差込前）で、より正確には、かばん・ケース類の蓋体Ａに取り付けられた「かばん・ケース類の錠前１」の差込部材１００が、かばん・ケース類の筐体Ｂに取り付けられた錠前本体１０の嵌合部（開口部）１１ｈに差し込まれる（嵌入、係入）前の状態を説明するための概略正面図である。以下、差込部材１００及び錠前本体１０を構成する主たる部材の位置関係を説明する「上端部」、「下端部」、「左」、「右」、中央部等の各用語はこの図１又は図３を基準とする。
【００２２】
図１に於いて、符号Ａは蓋体、Ｂは筐体である。かばん・ケース類の蓋体Ａは、周知の如く、筐体Ｂに対して開閉自在である。図１は説明の便宜上、蓋体Ａ及び筐体Ｂを含めて正面図とするが、蓋体Ａ及び筐体Ｂは発明の特定要件ではない。
【００２３】
符号１は金属製の錠前で、この錠前１は、差込部材１００と錠前本体１０とから成り、前記差込部材１００は、横長矩形板状に形成され、かつ左右端部に一対の取付け孔（不番）を有する基部１０１と、この基部の下端部を後側に略直角に折り曲げ形成された水平連設部と、この水平連設部の内端部を下方方向に略直角に折り曲げ形成され、かつ、一側面に係合突起１０３を有する係合片１０２とを有している。
【００２４】
図２は錠前本体１０に差込部材１００が差し込まれた状態を示す側面視側からの概略説明図であるが、この図２を参照にすると、差込部材１００は、後述する取付け基台１１側に位置する垂直プレート状の基部１０１と、アングル状の折り曲げ部分（不番）と、この折り曲げ部分に連設して下方に所要量延在する垂直プレート状の係合片１０２と、この係合片１０２の下端部の内面に取付け基台１０の垂直ベース板に対して略直交するように突設されたやや小さな係合突起１０３とから成る。
【００２５】
符号１８は、本実施形態では、取付け基台１１と一体的に結合するケースカバー（化粧カバー）で、このケースカバー１８にはサムターン式の操作摘み１９が、その操作軸としてのサムターン軸２０を介して回転自在に設けられている。なお、操作摘み１９は操作カバー２１を有している（図４参照）。
【００２６】
次に、図３は図２に於いて施錠状態の一例を示す内部構造の概略説明図、図４は主要部を含む分解説明図、図５は錠前本体１０を構成する取付け基台１１の説明図である。
【００２７】
さて、図２乃至図５を参照にすると、錠前本体１０は、少なくとも取付け基台１１と、例えば取付け基台側に形成した凹所状収納部１１ｉに組み込まれる施錠部材１２、１３、１４とを備え、前記施錠部材は、その軸１２ａを含む施錠カム１２と、その連係部１３ｄを含む施錠レバー１３と、施錠レバーを少なくとも施錠方向に付勢する付勢手段１４とから成り、前記付勢手段１４、好ましくはクリック機能を有する付勢バネであり、この付勢バネの付勢力は、施錠カムと施錠レバーの連係部が施錠カム用軸１２ａを基準として上方に位置変位した場合には施錠方向に作用し、一方、前記連係部が施錠カム用軸１２ａを基準として下方に位置変位した場合には開錠方向に作用する（図８参照）。
【００２８】
すなわち、本実施形態では、錠前本体１０の取付け基台１１に凹所状収納部１１ｉを設け、この凹所状収納部１１ｉに施錠カム用軸１２ａを中心として係合・非係合方向に回動する施錠カム１２と、前記施錠カムと共働するように連係部１３ｄが該施錠カムの偏心部位に取付けられた施錠レバー１３と、この施錠レバーを常に施錠方向に付勢するようバネ端部が該施錠レバーに直接圧接する付勢手段１４とを組み込んでいる。なお、符号１８はケースカバーで、このケースカバーに形成された横向き凹所内には、サムターン式の操作摘み１９に装着されている。
【００２９】
付言すると、錠前を販売する段階での実施レベルでは、図１〜図５に示すように、本発明のかばん・ケース類の錠前は、全体的な構成部材として、かばん・ケース類の蓋体Ａの所定位置に取付けられる差込部材１００と、かばん・ケース類の筐体Ｂの所定位置に前記差込部材１００と対応するように取り付けられる錠前本体１０とを有し、錠前本体１０は、筐体Ｂの所定位置に取り付けるための取付け基台１１と、取付け基台１１に内蔵される施錠カム１２と、施錠レバー１３と、付勢手段としての施錠用ばね１４と、ケースカバー１８と、錠前の開錠（係合解除）の操作を行なう操作部材としての操作摘み１９と、操作摘みと連動するように前記ケースカバー１８と前記施錠レバー１３との間に配設されていると共に、前記操作摘みの操作力を前記施錠レバー１３に伝える作動カム１６と、この作動カム１６を水平状態の初期位置へ戻す作動カム用復帰バネ１７とを備えている。
図４を正確に説明すると、図面右側の差込部材１００、図面左側のケースカバー１８に装着される操作部材１９、この操作部材と共働する作動カム１６等と共に、錠前本体１０の主要部を含む分解説明図である。
【００３０】
この図４と共に図５を参照にして各部材を説明する。図面右側の差込部材１００の構成は説明した通りである。その係合突起１０３は係合片１０２の向こう側の内面に突出している。係合突起１０３の形状は円形、楕円形、多角形等であり、特に形状を問わないが、左右方向の幅や突出量は、取付け基台１１に形成したスリット１１ｂ、プレート状の施錠カム用仕切り板１５の配設位置、施錠カム用仕切り板１５に形成したスリット１５ｂの幅等を考慮している。
【００３１】
なお、符号１０１ａは、差込部材１００用の化粧カバーで、この化粧カバー１０１ａは、差込部材１００に外嵌合する形態であり、差込部材１００の基部１０１をカバーする上端部カバーと、この上端部カバーに連設し、かつ、差込部材１００の係合片１０２をカバーする下端部とを有し、前記上端部カバーには前記基部１０１に形成した左右一対の取付け孔に対応する鋲体用の受入れ孔が形成されている。
【００３２】
錠前本体１０を構成する取付け基台１１は、垂直状態の取付けベース板１１ａを有し、この取付けベース板１１ａの中央部或いは中央部寄りの部位には、その上端から下方に略垂直状態に所定量形成された前述のスリット１１ｂと、このスリット付近の部位に形成された小さな軸孔１１ｃと、この小さな軸孔１１ｃよりも下方部位の適宜箇所に縦方向に形成され、かつ、施錠レバー１３の一側面に設けた突起状ガイド部１３ｂと係合する縦ガイド（例えば垂直切欠溝）１１ｄと、上端部の左右部位及びその下端部の中央部にそれぞれ突設された固定手段用の複数個の取付け部１１ｅがそれぞれ設けられている。
【００３３】
また取付けベース板１１ａの上端部には、該取付けベース板の内壁面に略直交するように略水平方向に突設され、かつ取付け基台１１の一部を構成する左右一対の係合部１１ｆ、１１ｆと、これらの係合部にその両端部に相当する上端部が接続する正面視略Ｕ字形状の突壁状周壁１１ｇが設けられている。
【００３４】
したがって、取付け基台１１は、前記取付けベース板１１ａと、左右一対の係合部１１ｆ、１１ｆと、突壁状周壁１１ｇとにより形成された開口部１１ｈ及び該開口部に連通する凹所状収納部１１ｉとを有している（符号は図３と共に参照）。
【００３５】
次に、取付け基台１１の内側（図２において右側）には、施錠レバー１３が配され、その内側には施錠カム１２が施錠カム用軸１２ａを介して配されている。施錠カム用軸１２ａは、前述した取付け基台１１の小さな軸孔１１ｃに固定的に取付けられる。施錠カム１２は略円形状に形成され、その周面から半径内方向に形成された切欠状被係合部（ここでは「第１係合部」とする）１２ｂと、略中央部に形成された施錠カム用軸１２ａよりも大きい軸孔（例えば上下方向が長径の楕円状の孔）１２ｃと、この軸孔１２ｃを基準として施錠カム１２の一側面の偏心部位に突設された連係手段を構成する施錠レバー用取付け軸１２ｄとを有する。
【００３６】
そして、該施錠カム１２には施錠カム用仕切り板１５がその内側（図２において右側）に配されている。この施錠カム用仕切り板１５は、プレート状垂直カバー部１５ａの上端部の略中央部に前述した取付け基台１１の平面視左右対称の係合部１１ｆ、１１ｆ（取付け基台１１の一部）の内側に入り込む突起部分を有し、この突起部分の上端から下方に向かって略垂直のスリット１５ｂを有している。このスリット１５ｂは、前述取付け基台１１のスリット１１ｂと対向することから、差込部材１００の係合突起１０３がスムースに上下方向にスライド可能である。
【００３７】
ところで、符号１２ｂは施錠カム１２の円周方向の一部に凹状に設けられた第１係合部としての切欠状被係合部であり、該切欠状被係合部１２ｂに差込部材１００の係合突起１０３が係脱するが、本実施形態では、発明の主たる課題との関係で、施錠カム１２と共働する施錠レバー１３を、少なくとも施錠方向に付勢するようバネ端部が該施錠レバー１３に直接又は間接的に圧接するクリック機能を有する付勢手段１４を取付け基台１１の凹所状収納部１１ｉに組み込んでいる。
【００３８】
したがって、差込部材１００の係合片１０２が前記施錠カム１２の切欠状被係合部１２ｂに係合した後、係合片１０２が錠前本体１０内に更に進入すると、付勢手段１４の付勢力により、施錠カム１２は前記切欠状被係合部或いは係合片１０２の係合突起１０３を施錠位置へと引き寄せるように自動的に回動して施錠状態となる。
【００３９】
なお、本実施形態の施錠カム１２の係合態様は、後述するように、（ａ）差込部材１００の係合突起１０３と係合する第１係合と、（ｂ）前記第１係合を保持しながら取付け基台１１の一部を構成する係合部１１ｆと食い込むように、或いは楔状に係合する第２係合の、合計二つの係合態様が存在するが、これは本発明の二次的な課題との関係で、本発明の特定要件と成り得る事項である。
【００４０】
次に、施錠レバー１３は、施錠カム１２の外側面（すなわち取付け基台１１と反対側面）内の所定位置に設けられた施錠レバー取付け用軸１２ｄと係合するように取り付けられており、一方、付勢手段としての施錠用ばね１４は、取付け基台１１の内側において施錠レバー１３と一部において係合するように取り付けられており、差込部材１００の進入、退却による施錠カム１２の回動に応じた施錠レバー１３動きに対応し、該施錠レバー１３に対し付勢力を加えるようになっており、施錠レバー１３が、差込部材の係合突起１０３と施錠カムの切欠状被係合部１２ｂとが係合し、施錠状態となった位置において、施錠用ばね１４の付勢力によって、その位置が保持されるようになっている。
【００４１】
ここで、図４の斜視図及び図６の施錠する場合の引き寄せ作動状態を示す施錠カム１２との共働部材、例えば施錠レバー１３を参照にして、この施錠レバー１３をさらに説明すると、１３ａは略垂直板の立ち上り部分で、この立ち上り部分１３ａの一側面（図４では向こう側）の下端部寄りの部位には、前述した突起状ガイド部１３ｂが取付け基台１１の縦ガイド１１ｄに向かって突設されている。１３ｃは前記立ち上り部分１３ａの下端部を作動カム１６側に折り曲げて形成され、かつ、前記作動カム１６の左右対称の押圧部１６ａを受けることができる水平端板状の受け部で、この受け部１３ｃは、係合解除時、操作部材１９の操作力によって回転する前記作動カム１６の弧状壁状に形成された左右の下端面（押圧部）１６ａ、１６ａの一方を受け、これにより、施錠レバー１３は下方に移動（図８の如く位置変位）することができる。１３ｄは立ち上り部分１３ａの上端部に人差し指形状に延在するオス又はメス側の連係部で、この連係部１３ｄは前述した施錠カム用のメス又はオス側の連係部（取付け軸）１２ｄに係合する。
【００４２】
次に、取付け基台１１の外側には、ケースカバー１８が配され、取付け基台１１とケースカバー１８とは固定手段（例えばビス）を介して一体的に係合する。ケースカバー１８の外側には、操作部材１９が取付けられ、前記操作部材１９には化粧カバー２１が配されている。操作部材１９は、作動カム１６と直接的に、あるいは間接部材を介して接続されており、該操作部材１９の操作に応じて作動カム１６が回動する。
【００４３】
次に、図６の（Ａ）、（Ｂ）、（Ｃ）は、係合片１０２の係合突起１０３を施錠方向へと引き寄せる引き寄せ機能の流れを示す正面視側からの各概略説明図である。繰り返しになるが、施錠カム１２は、施錠カム用軸１２ａを介して取付け基台１１に取り付けられている。また施錠カム１２には、その円周の一部（図６においては紙面の左側）に切欠状被係合部１２ｂが設けられており、当該切欠状被係合部１２ｂと差込部材１００の係合突起１０３とが係合する。付言すると、差込部材１００の進入に応じて所定位置に達したとき、差込部材１００の係合突起１０３と施錠カム１２の切欠状被係合部１２ｂとが係合し、これにより施錠カム１２を、例えば反時計方向（矢印Ｅ方向）に回動し、施錠が開始されるようになっている。
【００４４】
一方、図８（Ｂ）で示すように、操作部材１９による開錠操作によって、施錠カム１２は反時計方向（矢印Ｈ方向）に回動し、差込部材１００の退却が行われ、開錠が開始されるようになっている。さらに、施錠カム１２の一方の面内（すなわち取付け基台１１と反対側の面）の所定位置には施錠レバー取付け用軸１２ｄが設けられており、施錠レバー１３の一端部は、前記施錠レバー取付け用軸１２ｄに軸支され、施錠カム１２の回動を規制するようになっている。当該施錠カム用仕切り板１５には受け入れスリット１５ｂが設けられており、差込部材１００の係合突起１０３が当該受け入れスリット１５ｂ内を上下に走行するようになっている。
【００４５】
以上、上記構成の錠前１においては、差込部材１００の差込みによって、該差込部材の係合突起１０３と施錠カム１２の第１係合部としての切欠状被係合部１２ｂとが係合し、施錠カム１２を施錠方向に回動させ、さらにクリック機能を有する付勢手段１４の付勢力により、前記係合突起１０３を引き寄せるように自動的に施錠されるようになっている。この作動によって、いわゆるワンタッチでの施錠が可能となっている。作動カム１６は、施錠カム１２と対応する位置関係で設けられており、かつケースカバー１８内に内蔵される位置関係で設けられている。また、作動カム１６は、ケースカバー１８の作動カム収納部１８ａ内にばね１７を介して取り付けられている。ケースカバー１８には、前述したようにサムターン式の操作部材１９が取付けられており、この操作部材１９と作動カム１６とは作動カム１６を回動できるように取り付けられており、係合解除用の操作部材１９の操作力により、作動カム１６に連動する施錠レバー１３を介して錠前１の開錠（係合解除）が可能である。
【００４６】
ここで、本発明の主たる課題である「錠前の施錠の確実性」に関する引き寄せ機構について、図６を参照して説明する。図６（Ａ）に示すように、差込部材１００が筐体Ｂに向かって進入し、錠前本体の嵌合部位となる位置に向かうと、差込部材１００の係合片１０２の係合突起１０３が当該係合突起１０３に対応して設けられた施錠カム１２の切欠状被係合部（第１係合部）１２ｂと係合し、差込部材の進入（同図においては下方への移動）に応じて施錠カム１２は矢印Ｅ方向に回転する、これに対応して、施錠レバー１３は、その上端部の指先状連係部１３ｄが施錠カム１２の偏心位置にある軸状連係部１２ｄに連結されていることから、施錠カム用軸１２ａよりも上方へと位置変位する。この時、付勢手段１４の付勢力が「係合解除（開錠）方向」から「係合（施錠）方向」へと切り替わる。そこで、図６（Ｂ）に示すよう、施錠カム１２が施錠方向（矢印Ｅ方向）に回転中、さらに、図６（Ｃ）に示すように、更なる差込部材１００の係合片１０２が進入すると、つまり、付勢手段１４の付勢力により、施錠カム１２がＥ方向に回動し続けると、前記施錠カムは前記係合片１０２を施錠位置へと引き寄せるように自動的に回動して施錠状態となる。
【００４７】
次に、本発明の二次的な課題である「施錠保持力の強化」について、図７（Ａ）、（Ｂ）を参照にして説明する。この態様における施錠カム１２においては、その軸孔１２ｃが楕円状の長孔とされている。すなわち、同図に示した様に、施錠カム１２の軸孔１２ｃは、差込部材１００の係合突起１０３の進入方向に長軸を持つ楕円形状となっており、取付け基台１１に設けられた施錠カム用軸１２ａが前記軸孔１２ｃ内を遊嵌するように、すなわち、施錠カム１２は、図７に示したように上下移動可能となるように軸支されている。したがって、施錠状態時、不正開錠操作により前記差込部材１００が退出方向に移動したとき、取付け基台側に設けられた係合部一部１１ｆに施錠カム１２の第２係合部１２ｅが食い込むように当たり、これにより前記施錠状態を保持することができる。
【００４８】
さらに付言すると、差込部材１００の係合突起１０３が差込まれて進入し、施錠された初期の第１の状態においては、図７（Ａ）に図示したように、取付け基台１１の係合部１１ｆと施錠カム１２の第２係合部１２ｅとは若干の間隔ｍをもって離れた状態であって、施錠カム用軸１２ａは、楕円形状の軸孔１２ｃの上方の円周部に当接された状態となって保持され、施錠状態に維持される。一方、「がたつき」が生じて施錠状態の差込部材１００が、図７（Ｂ）において上方（Ｆ方向）に変動した場合、つまり、係合片１０２が上方に退出した時には、係合突起１０３が第１係合部１２ｂを形成する横向き凹所状の上方内壁面に押し上げるように当たるので、図７（Ｂ）に図示したように、その変動に応じて施錠カム１２は縦方向の楕円形状の軸孔１２ｃを介して上方に若干移動し、楕円形状の軸孔１２ｃの下方の円周部に当接された状態となって保持され、これにより取付け基台の施錠カムとの係合部１１ｆと施錠カムの取付け基台との第２係合部１２ｅとは係合し、両係合部１１ｆ、１２ｅとの間で、いわば楔のように抵抗力がかかった状態となる。
それ故に、施錠カム１２の施錠カム用軸１２ａの楕円形状の軸孔１２ｃ内の上方への移動、および抵抗力がかかった状態の取付け基台の施錠カムとの係合部１１ｆと施錠カムの取付け基台との第２係合部１２ｅとは係合の抵抗力の増大により、両方の係合部の保持力が強化され、これにより施錠力が強化される。
【００４９】
好ましい態様においては、図７に示したように、施錠カムの軸孔１２ｃの長孔内における施錠カム用軸１２ａとの隙間の間隔ｎが、取付け基台の施錠カムの係止部１１ａと、施錠カムの所定の初期設定位置に軸支された際の係止部１２ｅとの間隔ｍがより大とされ、施錠カム用軸１２ａが前記楕円状の長孔の軸孔１２ｃ内において遊嵌され、施錠カム用軸１２ａが差込部材の進入方向と反対方向に移動した際、施錠カムの取付け基台との係合部１２ｄと、錠前本体の取付け基台の係合部１１ｆとが係合し、施錠の保持力が高められるようにされている。
【００５０】
次に、図８は錠前１の開錠（係合解除）の動作を示した図面である。より正確には、図８の（Ａ）は、本発明の一実施態様の錠前の施錠状態を示す一部省略概略正面図であり、差込部材１００が進入して（図においては下降して）、施錠カム１２の第１係合部１２ｂと差込部材の係合突起１０３とが係合して施錠状態に達した状態を示す図面であり、施錠状態において、施錠レバー１３の上端方向の先端部に設けられた連係部１３ｄの位置に施錠用ばね１４の施錠レバーとのバネ端部（当接部）１４ａが達し、この部分において施錠用ばね１４の付勢力によって、施錠レバー１３の位置が保持され、施錠状態が維持されている。
【００５１】
上記の施錠状態から開錠するために、係合解除用の操作部材１９を図８（Ｂ）の様にＨ方向（すなわち右回り方向）に回すと、該操作部材の回す方向に応じて作動カム１６が右方向に回動し、作動カム１６の回動と連動して施錠レバー１３が下方に移動し、この動きに応じて施錠カム１２がＨ方向と同方向に回動し、施錠カムの第１係合部１２ｂが上方に位置するようになり、差込部材の係合突起１０３と施錠カムの第１係合部１２ｂとの係合が外れ、開錠状態となる。
【００５２】
一方、操作部材１９を図８の（Ｃ）の様にＩ方向（すなわち左回り方向）に回すと、係合解除用の操作部材の回す方向に応じて作動カム１６が左方向に回動し、作動カム１６の回動と連動して施錠レバー１３が下方に移動し、この動きに応じて施錠カム１２がＩ方向と反対方向に回動し、施錠カムの切欠状被係合部１２ｂが上方に位置するようになり、差込部材の係合突起１０３と施錠カムの切欠状被係合部１２ｂとの係合が外れ、開錠状態となる。
【００５３】
以上のように、この実施態様の錠前１によれば、係合解除用の操作部材１９を右方向に廻しても、左方向に廻しても、どちらの方向に廻しても同様に開錠を行なうことができ、一種類で左右共用できる。すなわち、右用、左用の２種類の商品を作る必要がなくなる。
【実施例】
【００５４】
この欄では、本発明の第２実施形態及び第３実施形態を説明する（同一の構成部分には同一・同様の符号を付して重複する説明を割愛する）。
【００５５】
まず、図９乃至図１１は、本発明の第２実施形態を示す各説明図である。この第２実施形態が第１実施形態と主に異なる点は、操作部材１９Ａと施錠レバー１３Ａである。図９は、図３と同様の内部構造の概略説明図、図１０は図４と同様の主要部と共に操作部材を含む分解説明図、図１１は図８と同様の各概略説明図で、（Ａ）は施錠状態の一例、（Ｂ）はケース状カバーに相当する操作部材１９Ａを（Ａ）を基準として左方向（符号Ｋ方向）に移動させた一例、は前記操作部材１９Ａを（Ａ）を基準として右方向（符号Ｌ方向）に移動させた一例をそれぞれ示す。
【００５６】
さて、好ましい操作部材の一例として、ケースカバー１８に外嵌合する操作カバー１９Ａを、左右の横方向のどちらに押しても開錠できるようにした第２実施態様について簡単に説明する。例えば図９は、その側壁が略矩形形状のケースカバー１８を正面図から見た概略説明図である。このケースカバー１８の外壁面に摺接するようにその側壁が略矩形形状の操作カバー１９Ａが手前側に外嵌合している。
【００５７】
この図９を基準にすると、ケースカバー１８の上方に位置するのが施錠カム１２、この施錠カム１２に上端部側の連係部１３ｄが位置するように中心軸としての支軸２４を介して傾倒状に配設されているのが棒状の施錠レバー１３Ａ、前記支軸（中心軸）２４を基準として前記棒状の施錠レバー１３Ａの下杆部分の左側壁に当接或いは接近しているのが第１押圧部２２としてのボス（突起部）、一方、前記支軸（中心軸）２４を基準として前記棒状の施錠レバー１３Ａの上杆部分の右側壁に当接或いは接近しているのが第２押圧部２２としてのボス（突起部）である。
【００５８】
このように、第２実施形態の操作部材１９Ａは、取付け基台１１或いはケースカバー１８に比して左右方向に大きく形成され、かつ、前記取付け基台１１或いはケースカバー１８に摺動自在に嵌合すると共に、施錠レバー１３Ａを右側に配設された付勢手段１４の付勢力に抗して作動させる単数又は複数（この実施形態）の押圧部２２を有する摺動可動体である。なお、符号１２ｆは施錠カム１２の第１係合部１２ｂとは反対側の部位に突設したバネ端支持部で、このバネ端支持部１２ｆは施錠カムの一部に相当するもので、付勢手段１４の一方側のバネ端部が圧接する。
【００５９】
この第２実施形態の好ましい例は、前記一対の押圧部２２、２２は、左右方向にスライド可能な摺動可動体１９Ａを、固定部材であるケースカバー１８に対して右又は左方向にいずれにスライドさせても、摺動可動体１９Ａに連動する摺動式施錠レバー１３Ａの中心軸２４を基準として上下の位置に略回転対称に設けられている。
【００６０】
上記構成により、本発明の付随的課題である「かばん・ケース類の蓋体に複数のかばん・ケース類の錠前を左右に取り付けたときに発生する左右勝手の使いづらさを解消する」。であるから左右仕様のかばん・ケース類の錠前を別々に２種類の作製しなければならならないという製品点数、工数、管理、コストアップ等という無駄をなくし、一種類のかばん・ケース類の錠前で左右使いの双方を兼用することができるかばん・ケース類の錠前を提供するということを達成することができる。
【００６１】
ここで、図１１の（Ａ）、（Ｂ）及び（Ｃ）を参照にして、左右引きの開錠動作についてさらに付言する。図１１に於いて、１００は差込み部材、１０は錠前本体、１２は施錠カム、１３Ａは中心軸としての支軸２４に左右方向に回動自在に軸支された施錠レバーである。
【００６２】
前述したように施錠レバー１３Ａの上端部は、施錠カム１２の施錠用取付け用軸１２ｄに軸支され、施錠レバー１３Ａの動きに応じて施錠カム１２を回動できるようになっている。２２は上下一対の押圧部で、これらの押圧部２２、２２はケース状操作部材（例えば操作カバー）１９Ａの内壁面に固定的に設けられている。
【００６３】
そこで、図１１（Ａ）は、差込部材１００が進入して（図においては下降して）、施錠カム１２の切欠状被係合部１２ｂと差込部材の係合突起１０３が係合し、施錠レバー１３Ａにて両者の係合が維持されている施錠状態を示す。この施錠状態において、操作カバーである係合解除用の操作部材１９Ａを図１１の（Ｂ）の様に、Ｋ方向（すなわち左方向）に動かすと、該操作部材１９Ａの移動に伴って上方の第２のボス２２が施錠レバー１３ＡをＫ方向に押して、施錠レバー１３Ａが支軸２４を支点として左方向（反時計方向）に旋回し、この施錠レバー１３Ａの移動方向に応じて施錠カム１２が右上方向（時計方向）に回動し、これにより施錠カム１２の切欠状被係合部１２ｂが上方に位置するようになり、差込部材の係合突起１０３と施錠カムの切欠状被係合部１２ｂとの係合が外れ、開錠状態となる。
【００６４】
一方、図１１の（Ｃ）の様に、Ｌ方向（すなわち右方向）に動かすと、操作部材１９Ａの移動に伴って下方の第１押圧部２２が施錠レバー１３ＡをＬ方向と反対方向に押して施錠レバー１３Ａが支軸２４を支点として左方向（反時計方向）に旋回し、施錠レバー１３Ａの移動方向に応じて施錠カム１２が右上方向（時計方向）に回動し、これにより施錠カム１２の切欠状被係合部１２ｂが上方に位置するようになり、差込部材の係合突起１０３と施錠カムの切欠状被係合部１２ｂとの係合が外れ、開錠状態となる。
【００６５】
上記のように構成すると、係合解除用の操作部材１９Ａを左右の横方向のいずれの方向に押しても開錠を行なうことができ、左用、右用の２種類の商品を作ることなく、１種類で左右共用（左右勝手）することができる。
【００６６】
次に、図１２及び図１３は、本発明の第３実施形態を示す各説明図である。この第３実施形態が第１実施形態と主に異なる点は、操作部材１９Ｂである。この第３実施形態も、第１実施形態と同様に錠前本体１０は、施錠カム１２と施錠レバー１３等とを有し、前記施錠カム１２には、前記施錠レバー１２の一方の端部が施錠カム１２を上方方向に回動させるように取り付けられており、かつ、該施錠レバーの他方の端部は錠前本体の係合解除用の操作部材１９Ｂの複数個の押圧部（係合部）２２、２２に連動させるように取り付けられている。
【００６７】
そして、図１３（Ｂ）で示すように、施錠カム１２と差込部材１００との解除が、施錠レバー１３との連動により、係合解除用の操作部材１９Ｂの下方への移動によってできるように構成している。このように操作部材１９Ｂの形状、操作態様を適宜に設計変更しても、本発明の主たる課題を達成することができる。また本発明の二次的な発明の課題も達成することができる。
【００６８】
なお、第２実施形態及び第３実施形態も、本発明の付加的な課題（錠前を左右勝手として使用すること）を達成するために、操作部材に連動する複数の押圧部２２．２２を適宜箇所に一対設けている。
【００６９】
最後に、図１４は第１実施形態の取付け基台１１をケースカバー１８Ａに置換し、該ケースカバー１８Ａに凹所状収納部（１８ａ、１１ｉ）を設け、一方、第１実施形態の取付け基台１１を、単なる板状の取付けベース板１１Ａに設計変更した実施形態である。したがって、前記ケースカバー１８Ａの方に、左右一対の係合部（１８ｆ、１１ｆ）が形成されている。その他、本発明の主たる課題に必要な構成要素を適宜に設ける。
【００７０】
また施錠カム１２と施錠レバー１３の位置関係を逆にし、例えば施錠カム用仕切り板１５側に施錠カム１２を配設し、該施錠カム１２と前記板状の取付けベース板１１Ａとの間に前記施錠レバー１３を配設している。このように凹所状収納部（１８ａ、１１ｉ）を第１実施形態の取付け基台１１に設けるか又はケースカバー１８Ａに設けるか否か、また施錠カム１２と施錠レバー１３の位置関係を変更しても、本発明の主たる課題を逸脱しない限り、自由に設計変更し得る事項である。
【符号の説明】
【００７１】
１…かばん・ケース類の錠前、
１１、１８Ａ…取付け基台、
１１ｄ…縦ガイド、
１１ｆ、１８ｆ…取付け基台側に設けられた係合部としての一部、
１１ｉ、１８ａ…凹所状収納部、
１２…施錠カム、
１２ａ…施錠カム用軸、
１２ｂ…切欠状被係合部（第１係合部）、
１２ａ…施錠レバー取付け用軸、
１２ｅ…施錠レバーの取付け基台との係合部（第２係合部、弧状部）、
１２ｃ…施錠カムの軸孔、
１３、１３Ａ…施錠レバー、
１３ａ…立ち上り部分、
１４…付勢手段（施錠用ばね）、        
１４ａ…施錠用ばねの施錠レバーとの圧接部、
１５…施錠カム用仕切り板、    
１５ｂ…施錠カム用仕切り板のスリット、
１６…作動カム、  
１７…作動カム用ばね、
１８…ケースカバー、
１９、１９Ａ、１９Ｂ…係合解除用の操作部材、
２０…サムターン軸、
２２…押圧部、
１００…差込部材、
１０１…基部、
１０２…係合片、
１０３…係合突起、
Ａ…かばん・ケース類の蓋体、
Ｂ…かばん・ケース類の筐体。
【図１】
2019044545.tif 000003
【図２】
2019044545.tif 000004
【図３】
2019044545.tif 000005
【図４】
2019044545.tif 000006
【図５】
2019044545.tif 000007
【図６（Ａ）】
2019044545.tif 000008
【図６（Ｂ）】
2019044545.tif 000009
【図６（Ｃ）】
2019044545.tif 000010
【図７】
2019044545.tif 000011
【図８（Ａ）】
2019044545.tif 000012
【図８（Ｂ）】
2019044545.tif 000013
【図８（Ｃ）】
2019044545.tif 000014
【図９】
2019044545.tif 000015
【図１０】
2019044545.tif 000016
【図１１（Ａ）】
2019044545.tif 000017
【図１１（Ｂ）】
2019044545.tif 000018
【図１１（Ｃ）】
2019044545.tif 000019
【図１２】
2019044545.tif 000020
【図１３（Ａ）】
2019044545.tif 000021
【図１３（Ｂ）】
2019044545.tif 000022
【図１３（Ｃ）】
2019044545.tif 000023
【図１４】
2019044545.tif 000024